(57)【要約】【課題】空調設備において、特に冬期の暖房能力を容易に向上させる。【解決手段】外気ＯＡを外調機１０に通過させて室内空間１３に供給する空調設備１であって、外調機１０には、加熱用の熱交換器２５と、冷却用の熱交換器２６と、これら加熱用の熱交換器２５および冷却用の熱交換器２６に外気ＯＡを熱的に接触させて、室内空間１３に供給する送風機２７が設けられ、加熱用の熱交換器２５に温水を供給する給湯器３０と、冷却用の熱交換器２６に冷媒を供給する熱源機４０を備える。外気ＯＡの温度が所定の低温度範囲の場合は、暖房運転モードとなって、給湯器３０から加熱用の熱交換器２５に温水が供給され、外気の温度が所定の高温度範囲の場合は、冷房運転モードとなって、熱源機４０から冷却用の熱交換器２６に冷媒が供給される。【選択図】図１
2010249378.tif 000002
【特許請求の範囲】
【請求項１】
外気を外調機に通過させて室内空間に供給する空調設備であって、
前記外調機には、加熱用の熱交換器と、冷却用の熱交換器と、これら加熱用の熱交換器および冷却用の熱交換器に外気を熱的に接触させて、室内空間に供給する送風機が設けられ、
前記加熱用の熱交換器に温水を供給する給湯器と、前記冷却用の熱交換器に冷媒を供給する熱源機を備える、空調設備。
【請求項２】
外気の温度を測定するセンサと、前記加熱用の熱交換器への温水の供給を制御する温水用制御弁と、前記冷却用の熱交換器への冷媒の供給を制御する冷媒用制御弁と、前記センサの測定温度に基いて、前記温水用制御弁および前記冷媒用制御弁を制御する制御装置を有する、請求項１に記載の空調設備。
【請求項３】
外気を外調機に通過させ、加熱用の熱交換器および冷却用の熱交換器に外気を熱的に接触させて、室内空間に供給する空調設備の運転方法であって、
外気の温度が所定の低温度範囲の場合は、暖房運転モードとなって、給湯器から前記加熱用の熱交換器に温水が供給され、
外気の温度が所定の高温度範囲の場合は、冷房運転モードとなって、熱源機から前記冷却用の熱交換器に冷媒が供給される、空調設備の運転方法。
【請求項４】
外気の温度が前記低温度範囲と高温度範囲の間の中間温度範囲の場合は、外気冷房運転モードとなって、前記給湯器から前記加熱用の熱交換器への温水の供給と、前記熱源機から前記冷却用の熱交換器への冷媒の供給が、いずれも停止される、請求項３に記載の空調設備の運転方法。
【請求項５】
前記給湯器から前記加熱用の熱交換器へ温水を供給し、前記熱源機から前記冷却用の熱交換器へ冷媒を供給する凍結防止運転モードを有する、請求項３または４に記載の空調設備の運転方法。
【請求項６】
凍結防止運転モードでは、前記熱源機において冷媒を冷却せずに前記冷却用の熱交換器へ冷媒を供給する、請求項５に記載の空調設備の運転方法。
【発明の詳細な説明】
【技術分野】
【０００１】
本発明は、暖房運転が可能な空調設備とその運転方法に関する。
【背景技術】
【０００２】
例えば中規模ビルなどに設置される空調設備が知られている。特許文献１には、熱源機で所定の温度に調節した空気を屋内ユニットから屋内に吹き出すように構成された空調設備が開示されている。
【０００３】
なお、この特許文献１の空調設備には、給湯器から熱源機に湯を供給して、熱源機に付いた霜を除去する構成も示されている。また、給湯器を利用したものとしては、暖房対象箇所に設置された温水暖房配管に給湯器から給湯する温水暖房が特許文献２に開示されている。また、特許文献３には、給湯器から空調機や温水マットに給湯する温水暖房装置が開示されている。更に、特許文献４には、温水器から床暖房装置や壁暖房装置に温水を供給する空調装置が開示されている。
【先行技術文献】
【特許文献】
【０００４】
【特許文献１】特開平７−２６０２９４号公報
【特許文献２】特開２００６−２９２３０９号公報
【特許文献３】特開２００２−２９５８４４号公報
【特許文献４】特開２００８−２５８６４号公報
【発明の概要】
【発明が解決しようとする課題】
【０００５】
しかしながら、従来の空調設備では、特に冬期の暖房能力が低く、寒冷地などでは、空調設備の他に何らかの補助暖房が必要となっていた。また、暖房能力を向上させるために、熱源機に内蔵されているヒータの電気出力を大きくさせると、設備費用が高くなり、熱源機の設置スペースも広く必要になる問題があった。
【０００６】
本発明は上記課題に鑑みてなされたものであり、空調設備において特に冬期の暖房能力を容易に向上させることを目的としている。
【課題を解決するための手段】
【０００７】
上記課題を解決するために、本発明によれば、外気を外調機に通過させて室内空間に供給する空調設備であって、前記外調機には、加熱用の熱交換器と、冷却用の熱交換器と、これら加熱用の熱交換器および冷却用の熱交換器に外気を熱的に接触させて、室内空間に供給する送風機が設けられ、前記加熱用の熱交換器に温水を供給する給湯器と、前記冷却用の熱交換器に冷媒を供給する熱源機を備える、空調設備が提供される。
【０００８】
この空調設備において、外気の温度を測定するセンサと、前記加熱用の熱交換器への温水の供給を制御する温水用制御弁と、前記冷却用の熱交換器への冷媒の供給を制御する冷媒用制御弁と、前記センサの測定温度に基いて、前記温水用制御弁および前記冷媒用制御弁を制御する制御装置を有しても良い。
【０００９】
また、本発明によれば、外気を外調機に通過させ、加熱用の熱交換器および冷却用の熱交換器に外気を熱的に接触させて、室内空間に供給する空調設備の運転方法であって、外気の温度が所定の低温度範囲の場合は、暖房運転モードとなって、給湯器から前記加熱用の熱交換器に温水が供給され、外気の温度が所定の高温度範囲の場合は、冷房運転モードとなって、熱源機から前記冷却用の熱交換器に冷媒が供給される、空調設備の運転方法が提供される。
【００１０】
この運転方法において、外気の温度が前記低温度範囲と高温度範囲の間の中間温度範囲の場合は、外気冷房運転モードとなって、前記給湯器から前記加熱用の熱交換器への温水の供給と、前記熱源機から前記冷却用の熱交換器への冷媒の供給が、いずれも停止されても良い。また、前記室内空間への給気を停止させ、前記給湯器から前記加熱用の熱交換器へ温水を供給し、前記熱源機から前記冷却用の熱交換器へ冷媒を供給する凍結防止運転モードを有しても良い。また、凍結防止運転モードでは、前記熱源機において冷媒を冷却せずに前記冷却用の熱交換器へ冷媒を供給しても良い。
【発明の効果】
【００１１】
本発明によれば、外調機に内蔵された加熱用の熱交換器に、給湯器から温水を供給して暖房運転を行うことができる。給湯器の温水を利用して暖房運転ができるので、特に冬期の暖房能力を容易に向上させることができようになる。このため、設備費用を低く抑えることができ、熱源機の設置スペースも小さくできる。
【００１２】
また、外気の温度が低温度範囲と高温度範囲の間の中間温度範囲の場合は、給湯器から前記加熱用の熱交換器への温水の供給と、熱源機から冷却用の熱交換器への冷媒の供給をいずれも停止させる外気冷房運転モードとすることにより、省エネルギ化がはかれ、ランニングコストの低減、地球温暖化の防止がはかられる。また、特に厳冬期などでは、室内空間への給気を停止させ、給湯器から加熱用の熱交換器へ温水を供給し、熱源機から冷却用の熱交換器へ冷媒を供給する凍結防止運転モードを行うことにより、各熱交換器や配管中の凍結発生を回避できる。
【図面の簡単な説明】
【００１３】
【図１】本実施の形態にかかる空調設備の説明図である。
【図２】各運転モードと温度範囲の関係の説明図である。
【図３】外気温度と冷媒用制御弁の開度の関係を示すグラフである。
【図４】外気温度と温水用制御弁（三方弁）の開度の関係を示すグラフである。
【図５】凍結防止運転モードの説明図である。
【図６】加熱用の熱交換器に接続される温水配管の変形例の説明図である。
【図７】温水配管に複数台の給湯器を並列に接続した実施の形態の説明図である。
【発明を実施するための形態】
【００１４】
以下、本発明の実施の形態を図面を参照にして説明する。なお、本明細書及び図面において、実質的に同一の機能構成を有する構成要素については、同一の符号を付することにより重複説明を省略する。
【００１５】
図１に示すように、この実施の形態にかかる空調設備１は、外気ＯＡを外調機１０に通過させ、所定の温度とした給気ＳＡを、給気ダクト１１を経て、建物１２内の室内空間１３に供給する構成である。給気ダクト１１には、温度センサ１４が取り付けられている。温度センサ１４は、室内空間１３に供給される給気ＳＡの温度ＴＳを測定し、この温度センサ１４で測定された給気ＳＡの温度ＴＳが、空調設備１全体を司る制御装置１５に入力される。
【００１６】
外調機１０には、外気取入ダクト２０が接続されており、この外気取入ダクト２０を経て、外調機１０内に外気ＯＡが取り入れられる。外気取入ダクト２０には、温度センサ２１と、モータダンパ２２が取り付けられている。温度センサ２１は、外調機１０内に取り入れられる外気ＯＡの温度ＴＯを測定し、この温度センサ２１で測定された外気ＯＡの温度ＴＯが、制御装置１５に入力される。モータダンパ２２の開閉は、制御装置１５によって制御される。
【００１７】
外調機１０の内部には、加熱用の熱交換器２５と、冷却用の熱交換器２６と、送風機２７が設けられている。送風機２７の稼動により、外気ＯＡが外調機１０内に取り込まれて、加熱用の熱交換器２５および冷却用の熱交換器２６に熱的に接触させられる。その結果、温度調整された外気ＯＡが給気ＳＡとなって、室内空間１３に供給される。送風機２７の稼動は、制御装置１５によって制御される。
【００１８】
加熱用の熱交換器２５には、給湯器３０で加熱された温水が、温水配管３１を経て循環供給される。給湯器３０には、例えば瞬間式ガス湯沸器やガス、電気等を熱源とする貯湯式湯沸器等が用いられる。温水配管３１には、ポンプ３２が設けられており、このポンプ３２の稼動により、給湯器３０から加熱用の熱交換器２５に温水が循環させられる。また、温水配管３１には、加熱用の熱交換器２５を迂回させるバイパス経路３３が分岐して接続されており、バイパス経路３３の下流端は、加熱用の熱交換器２５への温水の供給を制御する温水用制御弁としての三方弁３４を経て温水配管３１に合流して接続されている。この三方弁３４の開閉により、温水を加熱用の熱交換器２５に通す状態と、加熱用の熱交換器２５に通さずに、温水をバイパス経路３３に通す状態とに切り替えることができる。また、三方弁３４の開度を調整することにより、熱交換器２５に通す温水の流量とバイパス経路３３に通す温水の流量の割合を変えることができる。給湯器３０、ポンプ３２および三方弁３４は、いずれも制御装置１５によって制御される。
【００１９】
冷却用の熱交換器２６には、冷却機能を備えたヒートポンプチラーなどの熱源機４０から、冷媒配管４１を経て冷媒が循環供給される。熱源機４０は、例えば建物１２の屋上、庭などの屋外に配置されている。冷却用の熱交換器２６に循環供給される冷媒には、例えば冷水が用いられる。冷媒配管４１には、ポンプ４２と冷媒用制御弁４３が設けられている。ポンプ４２の稼動により、熱源機４０で冷却された冷媒が、冷媒配管４１を経て冷却用の熱交換器２６に循環供給される。また、冷媒用制御弁４３の開度を調整することにより、冷却用の熱交換器２６に通す冷媒の流量を変えることができる。熱源機４０、ポンプ４２および冷媒用制御弁４３は、いずれも制御装置１５によって制御される。
【００２０】
以上のように構成された空調設備１において、図２に示したように、外気温度が１９℃以上の場合は、高温度範囲となって冷房運転モードとなり、外気温度が１５℃以下の場合は、低温度範囲となって暖房運転モードとなり、外気温度が１５〜１９℃の場合は、中間温度範囲となって外気冷房運転モードとなる場合を例として説明する。
【００２１】
先ず、制御装置１５からの指令により、外調機１０に設けられた送風機２７が稼動させられ、空調設備１による空調運転が開始される。なお、送風機２７とモータダンパ２２はインターロックをとって連動させても良いが、この実施の形態では、制御装置１５からの指令により、モータダンパ２２は開かれる。また、外気取入ダクト２０を経て外調機１０内に外気ＯＡが取り入れられる際に、温度センサ２１で測定された外気ＯＡの温度ＴＯが、制御装置１５に入力される。
【００２２】
ここで、外気ＯＡの温度ＴＯが１９℃以上の高温度範囲であれば、冷房運転モードが行われる。冷房運転モードの場合、制御装置１５からの指令により、熱源機４０が稼動されて冷媒が冷却される。更に、制御装置１５からの指令により、ポンプ４２が稼動され、冷媒用制御弁４３が開かれることにより、熱源機４０で冷却された冷媒が、冷媒配管４１を経て冷却用の熱交換器２６に循環供給される。なお、冷房運転モードを行う場合は、給湯器３０およびポンプ３２はいずれも停止させられる。
【００２３】
こうして、冷房運転モードを行う場合は、送風機２７の稼動によって外調機１０内に取り入れられた外気ＯＡは、冷却用の熱交換器２６に熱的に接触して冷却させられる。その結果、所望の温度に冷却された外気ＯＡが給気ＳＡとなって、室内空間１３に供給される。なお、室内空間１３に供給される給気ＳＡの温度ＴＳは、温度センサ１４で測定されて制御装置１５に入力される。
【００２４】
更に、このように冷房運転モードを行う場合、冷却用の熱交換器２６による冷却能力の比例制御が行われる。即ち、制御装置１５からの指令により、図３に示すように、室内空間１３の空調目標温度Ｔと外気温度ＴＯとの差に比例して、冷媒用制御弁４３の開度が調整される。例えば、室内空間１３の空調目標温度Ｔと外気温度ＴＯとの差が小さい場合は、制御装置１５からの指令により、冷媒用制御弁４３の開度が小さくされ、これにより、冷却用の熱交換器２６への冷媒の供給量が減少させられる。その結果、冷却用の熱交換器２６による冷却能力が抑制させられる。一方、室内空間１３の空調目標温度Ｔと外気温度ＴＯとの差が大きい場合は、制御装置１５からの指令により、冷媒用制御弁４３の開度が大きくされ、これにより、冷却用の熱交換器２６への冷媒の供給量が増加させられる。その結果、冷却用の熱交換器２６による冷却能力が増強させられる。
【００２５】
このように、室内空間１３の空調目標温度Ｔと外気温度ＴＯとの差に比例して冷却用の熱交換器２６の冷却能力が制御されることにより、外気ＯＡは常に所望の温度に冷却され、一定の温度の給気ＳＡが室内空間１３に供給される。なお、冷却用の熱交換器２６の冷却能力は、ポンプ４２や熱源機４０の出力を制御することによっても行うことができる。
【００２６】
一方、外気ＯＡの温度ＴＯが１５℃以下の低温度範囲であれば、暖房運転モードが行われる。暖房運転モードの場合、制御装置１５からの指令により、給湯器３０が稼動し、温水の加熱が行われる。更に、制御装置１５からの指令により、ポンプ３２が稼動され、三方弁３４が開いて、温水を加熱用の熱交換器２５に通す状態となる。これにより、給湯器３０で加熱された温水が、温水配管３１を経て加熱用の熱交換器２５に循環供給される。なお、暖房運転モードを行う場合は、熱源機４０およびポンプ４２はいずれも停止させられる。
【００２７】
こうして、暖房運転モードを行う場合は、送風機２７の稼動によって外調機１０内に取り入れられた外気ＯＡは、加熱用の熱交換器２５に熱的に接触して昇温させられる。その結果、所望の温度に昇温された外気ＯＡが給気ＳＡとなって、室内空間１３に供給される。なお、室内空間１３に供給される給気ＳＡの温度ＴＳは、温度センサ１４で測定されて制御装置１５に入力される。
【００２８】
更に、このように暖房運転モードを行う場合も、加熱用の熱交換器２５による昇温能力の比例制御が行われる。即ち、制御装置１５からの指令により、図４に示すように、室内空間１３の空調目標温度Ｔと外気温度ＴＯとの差に比例して、三方弁３４３の開度が調整される。例えば、室内空間１３の空調目標温度Ｔと外気温度ＴＯとの差が小さい場合は、制御装置１５からの指令により、三方弁３４の開度が小さくされ、これにより、加熱用の熱交換器２５への温水の供給量が減少させられ、バイパス経路３３に通される温水の供給量が増加させられる。その結果、加熱用の熱交換器２５による昇温能力が抑制させられる。一方、室内空間１３の空調目標温度Ｔと外気温度ＴＯとの差が大きい場合は、制御装置１５からの指令により、三方弁３４の開度が大きくされ、これにより、加熱用の熱交換器２５への温水の供給量が増加させられ、バイパス経路３３に通される温水の供給量が減少させられる。その結果、加熱用の熱交換器２５による昇温能力が増強させられる。
【００２９】
このように、室内空間１３の空調目標温度Ｔと外気温度ＴＯとの差に比例して加熱用の熱交換器２５の昇温能力が制御されることにより、外気ＯＡは常に所望の温度に昇温され、一定の温度の給気ＳＡが室内空間１３に供給される。なお、加熱用の熱交換器２５の昇温能力は、ポンプ３２や給湯器３０の出力を制御することによっても行うことができる。
【００３０】
また一方、外気ＯＡの温度ＴＯが１５〜１９℃の中間温度範囲であれば、外気冷房運転モードが行われる。外気冷房運転モードの場合、制御装置１５からの指令により、熱源機４０の稼動は停止され、冷媒は冷却されない。また、制御装置１５からの指令により、給湯器３０の稼動は停止され、温水の加熱は行われない。更に、制御装置１５からの指令により、ポンプ４２、３２の稼動も停止させられる。
【００３１】
このため、外気冷房運転モードを行う場合は、送風機２７の稼動によって外調機１０内に取り入れられた外気ＯＡは、加熱用の熱交換器２５のよる昇温と冷却用の熱交換器２６による冷却をされることがなく、温度調節されずに外調機１０内を通過する。こうして、外気ＯＡがそのまま給気ＳＡとなって、室内空間１３に供給される。なお、室内空間１３に供給される給気ＳＡの温度ＴＳは、温度センサ１４で測定されて制御装置１５に入力される。
【００３２】
加えて、この空調設備１にあっては、外気ＯＡの温度ＴＯが４℃以下の超低温度範囲となった場合は、室内空間１３への給気を停止させ、給湯器３０から加熱用の熱交換器２５へ温水を供給し、熱源機４０から冷却用の熱交換器２６へ冷媒を供給する凍結防止運転モードが行われる。
【００３３】
即ち、図５に示すように、外気ＯＡの温度ＴＯが４℃以下となると（図５のステップＳ１のＹｅｓ）、凍結防止運転モードとなる（図５のステップＳ２）。なお、凍結防止運転モード（外気ＯＡの温度ＴＯが４℃以下）は、暖房運転モード（外気ＯＡの温度ＴＯが１５℃以下）の範囲内である。このため、凍結防止運転モードでは、制御装置１５からの指令により、給湯器３０が稼動し、温水の加熱が行われている。更に、制御装置１５からの指令により、ポンプ３２が稼動され、三方弁３４が開いて、温水を加熱用の熱交換器２５に通す状態となっている。これにより、給湯器３０で加熱された温水が、温水配管３１を経て加熱用の熱交換器２５に循環供給される（図５のステップＳ３）。また、制御装置１５からの指令により、熱源機４０では冷媒の冷却が停止される。但し、凍結防止運転モードでは、ポンプ４２が稼動され、冷媒用制御弁４３が開かれて、冷却用の熱交換器２６に冷媒配管４１を経て冷媒が循環供給されることにより、冷媒の凍結が回避される（図５のステップＳ４）。
【００３４】
こうして、凍結防止運転モードを行う場合は、暖房運転モードと同様に、送風機２７の稼動によって外調機１０内に取り入れられた外気ＯＡは、加熱用の熱交換器２５に熱的に接触して昇温させられる。その結果、所望の温度に昇温された外気ＯＡが給気ＳＡとなって、室内空間１３に供給される。なお、室内空間１３に供給される給気ＳＡの温度ＴＳは、温度センサ１４で測定されて制御装置１５に入力される。なお、凍結防止運転モードでは、夜間などの暖房運転が不要な期間は、送風機２７の稼動を停止させ、室内空間１３への給気ＳＡの供給を停止させても良い。
【００３５】
更に、このように凍結防止運転モードを行う場合も、加熱用の熱交換器２５による昇温能力の比例制御が行われる。即ち、制御装置１５からの指令により、図４に示すように、室内空間１３の空調目標温度Ｔと外気温度ＴＯとの差に比例して、三方弁３４３の開度が調整される。例えば、室内空間１３の空調目標温度Ｔと外気温度ＴＯとの差が小さい場合は、制御装置１５からの指令により、三方弁３４の開度が小さくされ、これにより、加熱用の熱交換器２５への温水の供給量が減少させられ、バイパス経路３３に通される温水の供給量が増加させられる。その結果、加熱用の熱交換器２５による昇温能力が抑制させられる。一方、室内空間１３の空調目標温度Ｔと外気温度ＴＯとの差が大きい場合は、制御装置１５からの指令により、三方弁３４の開度が大きくされ、これにより、加熱用の熱交換器２５への温水の供給量が増加させられ、バイパス経路３３に通される温水の供給量が減少させられる。その結果、加熱用の熱交換器２５による昇温能力が増強させられる。
【００３６】
このように、室内空間１３の空調目標温度Ｔと外気温度ＴＯとの差に比例して加熱用の熱交換器２５の昇温能力が制御されることにより、外気ＯＡは常に所望の温度に昇温され、一定の温度の給気ＳＡが室内空間１３に供給される。なお、加熱用の熱交換器２５の昇温能力は、ポンプ３２や給湯器３０の出力を制御することによっても行うことができる。
【００３７】
そして、外気ＯＡの温度ＴＯが４℃以下の場合は（図５のステップＳ１のＹｅｓ）、凍結防止運転モードが維持される（図５のステップＳ２〜Ｓ４）。
【００３８】
一方、外気ＯＡの温度ＴＯが４℃を超えた場合は（図５のステップＳ１のＮｏ）、凍結防止運転モードが終了する（図５のステップＳ５）。
【００３９】
かくして、この実施の形態にかかる空調設備１によれば、給湯器３０の温水を利用して暖房運転ができるので、特に冬期の暖房能力を容易に向上させることができるようになる。瞬間式ガス湯沸器やガス、電気等を熱源とする貯湯式湯沸器等を給湯器３０に利用することにより、比較的定額で暖房能力を向上できるので、設備費用を低く抑えることができ、熱源機の設置スペースも小さくできる。特に、給湯器３０を外調機１０の近くに設置すれば、温水配管３１を短くできるといった利点がある。
【００４０】
また、冷房運転モードにおける冷却能力の比例制御や、暖房運転モードにおける昇温能力の比例制御を行うことにより、一定の温度の給気ＳＡが室内空間１３に供給され、快適な空調が行われる。更に、過度の冷房や暖房が行われることを回避でき、省エネルギ化がはかれ、ランニングコストの低減、地球温暖化の防止がはかられる。
【００４１】
加えて、外気の温度が低温度範囲と高温度範囲の間の中間温度範囲の場合は、給湯器３０から加熱用の熱交換器２５への温水の供給と、熱源機４０から冷却用の熱交換器２６への冷媒の供給をいずれも停止させる外気冷房運転モードとすることにより、更なる省エネルギ化がはかれ、ランニングコストの低減、地球温暖化の防止がはかられる。
【００４２】
また、特に厳冬期などでは、給湯器３０から加熱用の熱交換器２５へ温水を供給し、熱源機４０から冷却用の熱交換器２６へ冷媒を供給する凍結防止運転モードを行うことにより、各熱交換器２５、２６や配管３１、４１中の凍結発生を回避できる。
【００４３】
以上、本発明の好ましい実施の形態の一例を説明したが、本発明は図示の形態に限定されない。当業者であれば、特許請求の範囲に記載された思想の範疇内において、各種の変更例または修正例に相到し得ることは明らかであり、それらについても当然に本発明の技術的範囲に属するものと了解される。以上の実施の形態では、外気温度が１９℃以上の場合は、高温度範囲となって冷房運転モードとなり、外気温度が１５℃以下の場合は、低温度範囲となって暖房運転モードとなり、外気温度が１５〜１９℃の場合は、中間温度範囲となって外気冷房運転モードとなる場合を例として説明したが、各温度範囲は任意に設定できる。
【００４４】
図６に示す例では、加熱用の熱交換器２５に接続される温水配管３１に、給湯器バイパス経路５０と流量調節経路５１を加えたものである。給湯器バイパス経路５０の上流端は、給湯器３０の上流側において、三方弁５２を介して、温水配管３１から分岐して接続されている。給湯器バイパス経路５０の下流端は、給湯器３０の下流側において、温水配管３１に合流して接続されている。三方弁５２は、温水の温度によって開度が変化するワックス弁であり、温水の温度が高くなると、給湯器バイパス経路５０への温水の流量が相対的に増えて、給湯器３０への温水の流量が相対的に減り、温水の温度が低くなると、給湯器バイパス経路５０への温水の流量が相対的に減って、給湯器３０への温水の流量が相対的に増えるようになっている。
【００４５】
また、流量調節経路５１と温水配管３１には、定流量弁５５、５６が対をなして設けられている。これら定流量弁５５、５６の開度バランスによって、給湯器３０と給湯器バイパス経路５０の方に流れる温水と、給湯器３０と給湯器バイパス経路５０を迂回する温水の流量比が調節されている。また、温水配管３１には、温水溜め部５７が接続されており、この温水溜め部５７との間で温水が温水配管３１中の適宜補給されることにより、温水配管３１中の温水の過不足が補われるようになっている。
【００４６】
この図６に示す例によれば、三方弁５２にワックス弁を用いたことにより、温水の温度が高い場合は、給湯器３０への温水の流量が相対的に減り、温水の温度が低い場合は、給湯器３０への温水の流量が相対的に増えることとなり、加熱用の熱交換器２５に常に一定の温度（例えば６０℃）の温水が供給されることとなる。
【００４７】
また、図７に示すように、温水配管３１に複数台（図示では３台）の給湯器３０を並列に接続することにより、温水の昇温能力を容易に向上させることができる。この場合、複数台の給湯器３０の稼働台数を制御することによって、温水の温度を変化させ、加熱用の熱交換器２５の昇温能力を制御することもできる。
【００４８】
なお、図１では、温水用制御弁としての三方弁３４を制御装置１５によって制御する例を説明したが、三方弁３４は自力弁を援用して、制御装置１５による制御ではなく、温水配管３１内を流れる温水の温度による自力制御としても良い。この場合も、外気温度ＴＯにより熱源機４０が熱媒の温度を制御することで、温度センサ２１による開度制御が実施できる。また、給湯器３０の稼動を冬期のみに許可し、夏期は給湯器３０の稼動を禁止するいわゆるシーズン切り替えを行っても良い。
【産業上の利用可能性】
【００４９】
本発明は、中規模ビルなどに設置される空調設備に有用である。
【符号の説明】
【００５０】
ＯＡ  外気
ＳＡ  給気
１  空調設備
１０  外調機
１１  給気ダクト
１２  建物
１３  室内空間
１３  温度センサ
１５  制御装置
２０  外気取入ダクト
２１  温度センサ
２２  モータダンパ
２５  加熱用の熱交換器
２６  冷却用の熱交換器
２７  送風機
３０  給湯器
３１  温水配管
３２  ポンプ
３３  バイパス経路
３４  三方弁
４０  熱源機
４１  冷媒配管
４２  ポンプ
４３  冷媒用制御弁
【図１】
2010249378.tif 000003
【図２】
2010249378.tif 000004
【図３】
2010249378.tif 000005
【図４】
2010249378.tif 000006
【図５】
2010249378.tif 000007
【図６】
2010249378.tif 000008
【図７】
2010249378.tif 000009